(57)【要約】【課題】  インターホンシステムに設けられたカメラ装置を利用して、住宅外で雨が降ってきた時に報知することができるインターホンシステム、インターホン親機を提供する。【解決手段】  インターホンシステムにおけるインターホン親機１が、住宅に訪問する人物を撮像するためのカメラ装置４と接続されている。インターホン親機１は、カメラ装置４によって撮像された画像を取得し、当該取得した画像に基づいて雨が降っていることを判断した場合に、その旨をスピーカ２２から音声出力することなどによって報知する。【選択図】      図１
2009290348.tif 000002
【特許請求の範囲】
【請求項１】
玄関先に設置されたドアホン子器と、
室内に設置されたインターホン親機とを備えたインターホンシステムにおいて、
前記インターホン親機は、住宅に訪問する人物を撮像するためのカメラ装置と接続され、当該カメラ装置によって撮像された画像を取得し、当該取得した画像に基づいて雨が降っていることを判断した場合に、その旨を報知することを特徴とするインターホンシステム。
【請求項２】
室内に設置され、玄関先に設置されたドアホン子器と接続されたインターホン親機であって、
住宅に訪問する人物を撮像するためのカメラ装置と接続され、当該カメラ装置によって撮像された画像を取得し、当該取得した画像に基づいて雨が降っていることを判断した場合に、その旨を報知することを特徴とするインターホン親機。
【発明の詳細な説明】
【技術分野】
【０００１】
本発明は、ドアホン子器とインターホン親機との組み合わせによって構成されたインターホンシステム、インターホン親機に関する。
【背景技術】
【０００２】
従来より、ドアホン子器とインターホン親機との組み合わせを有するインターホンシステムにおいて、インターホン親機にセンサカメラを接続して住宅のセキュリティに利用する技術が、下記の特許文献１などにて知られている。この特許文献１には、センサカメラによって人物を検出した場合には、インターホン親機によって警報音を鳴動すると共に住宅人に不審者の存在を報知し、更には当該センサカメラによって録画を開始するというものである。
【特許文献１】特開２００４−８８４１１号公報
【発明の開示】
【発明が解決しようとする課題】
【０００３】
しかしながら、上述したインターホンシステムにおいては、不審者を検知することはできても、雨が降ってきたなどの住宅外の変化を提供することなどはできていないのが現状である。
【０００４】
そこで、本発明は、上述した実情に鑑みて提案されたものであり、インターホンシステムに設けられたカメラ装置を利用して、住宅外で雨が降ってきた時に報知することができるインターホンシステム、インターホン親機を提供することを目的とする。
【課題を解決するための手段】
【０００５】
本発明は、インターホンシステムにおけるインターホン親機が、住宅に訪問する人物を撮像するためのカメラ装置と接続され、当該カメラ装置によって撮像された画像を取得し、当該取得した画像に基づいて雨が降っていることを判断した場合に、その旨を報知することにより、上述の課題を解決する。
【発明の効果】
【０００６】
本発明によれば、住宅に訪問する人物を撮像するためのカメラ装置と接続され、当該カメラ装置によって撮像された画像を取得し、当該取得した画像に基づいて雨が降っていることを判断した場合に、その旨を報知するので、既存のカメラ装置を利用して、住宅外で雨が降ってきた時に報知することができる。
【発明を実施するための最良の形態】
【０００７】
以下、本発明の実施の形態について図面を参照して説明する。
【０００８】
このインターホンシステムは、例えば図１に示すように、インターホン親機１に、ドアホン子器２と、交流電源ＡＣ及び電源部３と、カメラ装置４とが接続されて構成されている。このインターホンシステムは、来客時や不審者の進入時などにカメラ装置４によって当該人物を撮像して、インターホン親機１にて提示するものである。なお、図１において、インターホン親機１は液晶ディスプレイ等を備えているが、図示を省略をしている。そして、このインターホンシステムは、人物撮像用のカメラ装置４を利用して、住宅外に雨や雪などが降ってきたことを住宅人に報知することを可能とするものである。
【０００９】
このインターホンシステムにおいて、インターホン親機１は住宅内に設けられ、ドアホン子器２は玄関先に設けられている。そして、このインターホンシステムにおいては、カメラ装置４を、住宅の玄関先などに設ける。
【００１０】
ドアホン子器２は、インターホン親機１に接続され、呼出釦２ａ及びマイク／スピーカ部２ｂを備えている。このドアホン子器２は、訪問者によって呼出釦２ａが操作されると共に、住人と訪問者との会話時にはマイク／スピーカ部２ｂを介して音声信号を送受信する。
【００１１】
カメラ装置４は、画像センサ４１及びマイク４２と、当該カメラ装置４の動作を統括制御する制御部４３と、画像センサ４１により取得した画像データをインターホン親機１に送信する送信部４５と、マイク４２により検出した音声信号をインターホン親機１に出力する送信部４６と、インターホン親機１と制御部４３との間で授受されるコマンドを送受信するコマンド送受信部４４とを備える。このカメラ装置４は、制御部４３の制御に従って、画像センサ４１により画像データを取得すると共にマイク４２により音声信号を取得して、インターホン親機１に供給する。なお、このカメラ装置４は、人感センサを内蔵して、人体検知時にセンサ入力信号を出力し、画像データ及び音声信号を出力するものであっても良い。また、画像は、焦度センサによって検出した宅外の明るさを検出し、当該明るさが所定の明るさ以下である場合に取得されても良い。
【００１２】
インターホン親機１は、制御部１１に、通話回路１２，マイク１３，呼出検知回路１４，通話釦１５，警報停止釦１６，タイマー１７，コマンド送受信部４４と接続されたコマンド送受信部１８，送信部４５と接続された受信部１９，送信部４６と接続された受信部２０，切替部２１及びスピーカ２２，音発生回路２３が接続されている。このインターホン親機１は、住宅内の交流電源ＡＣが電源部３を介して供給されていることによって、動作する。
【００１３】
制御部１１は、いわゆるＣＰＵ等を含むマイクロコンピュータであり、当該インターホン親機１の動作を統括的に制御する。
【００１４】
通話回路１２は、ドアホン子器２と、インターホン親機１のマイク及び制御部１１と接続されている。通話回路１２は、インターホン親機１及びドアホン子器２によって、玄関先の訪問者と住宅の住人とが会話する場合に、音声信号の授受を行う。
【００１５】
呼出検知回路１４は、訪問者によってドアホン子器２の呼出釦２ａが押圧操作されたことを検知した時に、その旨の信号を制御部１１に出力する。また、通話釦１５は、住人が玄関先の訪問者と通話を開始する時に押圧操作され、当該押圧操作が制御部１１によって検知される。
【００１６】
警報停止釦１６は、住人がインターホン親機１のスピーカ２２によって報知、警報のための音を停止させる時に押圧操作され、当該押圧操作が制御部１１によって検知される。ここで、インターホンシステムは、ドアホン子器２の呼出釦２ａが押圧操作された時の呼出報知音、カメラ装置４によって不審者が検出された時の警報音、後述するように住宅外に雨が降ってきた時の報知音を発生させ、何れの音の場合にも警報停止釦１６によって停止制御を行うことができる。
【００１７】
タイマー１７は、制御部１１に接続されて、制御部１１によって計時のスタート及びリセットが制御される。また、コマンド送受信部１８は、制御部１１及びカメラ装置４に接続され、当該カメラ装置４に対して画像データ及び音声信号を取得するコマンドを送信すると共にカメラ装置４のコマンド送受信部４４から制御部４３で発生させたコマンドが供給される。
【００１８】
スピーカ２２は、住人が玄関先にいる訪問者と会話するに際して音声信号が供給される。この音声信号は、切替部２１によって通話回路１２から供給される。
【００１９】
切替部２１及び音発生回路２３は、その動作が制御部１１によって制御される。音発生回路２３は、来客時の呼出報知音、カメラ装置４によって不審者が検出された時の警報音、住宅外に雨が降ってきた時の報知音を発生させるための音源データを記憶している。そして、制御部１１からの制御、何れの音の場合にも警報停止釦１６によって停止制御を行うことができる。なお、スピーカ２２から出力する音は、警報音などに限らずに、「雨が降っています」などのメッセージであっても良いことは勿論である。
【００２０】
切替部２１は、制御部１１の制御に従って、音発生回路２３からの音信号、通話回路１２から供給された音声信号が供給される。そして、切替部２１は、制御部１１の制御に従って、音声信号又は報知音信号をスピーカ２２に供給する。
【００２１】
このようなインターホンシステムは、画像センサ４１により撮像した画像データを送信部４５及び受信部１９を介して制御部１１により取得し、マイク４２により取得した音声データを送信部４６及び受信部２０を介して制御部１１により取得する。そして、このインターホンシステムは、制御部１１によって所定の判断処理を行うことによって、雨が降っていると判断した場合には、音発生回路２３及び切替部２１を制御して、スピーカ２２から雨が降っていることの警報音を出力することができる。また、制御部１１は、図示はしていないが、雨が降っていることを報知する文字や絵柄の組み合わせからなるピクト画像をＲＯＭに記憶させておき、実際に雨が降っていることを判断した時には警報音と共に液晶画面などにピクト画像を表示させることもできる。
【００２２】
つぎに、上述したように構成されたインターホンシステムにおける具体的な動作手順について、図２のフローチャートを参照して説明する。
【００２３】
この図２に示すインターホンシステムの動作は、インターホン親機１に電源部３からの電源が供給されている状況においては、ステップＳ１にて、所定時間ごとにタイマー１７を起動させて、経過時間ｔ１の計時をスタートする。
【００２４】
次に制御部１１は、ステップＳ２において、ステップＳ１にてスタートした経過時間ｔ１が所定時間以上であるか否かを判定し、経過時間ｔ１が所定時間以上となっていない場合には処理を繰り返し、経過時間ｔ１が所定時間以上となっている場合にはステップＳ３に処理を進める。
【００２５】
ステップＳ３においては、制御部１１により、画像センサ４１により撮像した画像データを送信部４５及び受信部１９を介して取得し、マイク４２により取得した音声データを送信部４６及び受信部２０を介して取得する。
【００２６】
次のステップＳ４においては、制御部１１により、所定の判断処理を行うことによって、雨が降っているか否かを判定する。この判定の結果、雨が降っていない場合には処理を終了し、雨が降っている場合にはステップＳ５に処理を進める。
【００２７】
このとき、制御部１１は、例えば図３に示すように所定の周波数帯域を有する雨音の音量がしきい値Ｔを超えた場合には、雨が降っていると判断する。また、この判断処理としては、所定時間ごとに取得している画像の差分を取り、空の明るさ、水滴や水たまりの有無を判断しても良い。更に、インターホンシステムは、カメラ装置４の筐体に集水型状の筒を設けて当該筒に形成された水たまりを判断する構造や、スポンジなどの水分に応じて体積が変化する構造や、吸水によって温度や色が変化する構造、カメラ装置４のレンズに付着したことによる赤外線の透過率又は反射率の変化を検出する構造を採用して、雨が降っているか否かを判断しても良い。
【００２８】
ステップＳ５においては、制御部１１により、音発生回路２３及び切替部２１を制御して切替部２１から雨が降っていることの報知音を出力させると共に、インターホン親機１の表示画面に雨が降っていることを示すピクト画像をＲＯＭから読み出して表示させる。ここで、報知音は、警報停止釦１６が押圧操作されるまで又は所定の報知時間を経過するまでの何れか遅いほうまで出力させる。
【００２９】
次のステップＳ６においては、制御部１１によってタイマー１７を起動させて、経過時間ｔ２の計時をスタートする。次に制御部１１は、ステップＳ７において、ステップＳ６にてスタートした経過時間ｔ２が所定時間以上であるか否かを判定し、経過時間ｔ２が所定時間以上となっていない場合には処理を繰り返し、経過時間ｔ２が所定時間以上となっている場合にはステップＳ８に処理を進める。
【００３０】
そして、インターホン親機１は、再度ステップＳ３及びステップＳ４と同様に、ステップＳ８において画像データ及び音声データを取得し、ステップＳ９において雨が降っているか否かを判定する。この判定の結果、雨が降っていない場合にはステップＳ１０にて報知のためのピクト画像の表示を消灯し、雨が降っている場合にはステップＳ６からの処理を繰り返す。
【００３１】
以上詳細に説明したように、本発明を適用したインターホンシステムによれば、住宅に訪問する人物を撮像するためのカメラ装置４と接続され、当該カメラ装置４によって撮像された画像を取得し、当該取得した画像に基づいて雨が降っていることを判断した場合に、その旨を報知するので、既存のカメラ装置４を利用して、住宅外で雨が降ってきた時に報知することができる。
【００３２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３３】
【図１】本発明を適用したインターホンシステムの機能的な構成を示すブロック図である。
【図２】本発明を適用したインターホンシステムの具体的な動作を示すフローチャートである。
【図３】雨が降っていることを判断するための一例を説明する図である。
【符号の説明】
【００３４】
１  インターホン親機
２  ドアホン子器
２ａ  呼出釦
２ｂ  マイク／スピーカ部
３  電源部
４  カメラ装置
１１  制御部
１２  通話回路
１３  マイク
１４  呼出検知回路
１５  通話釦
１６  警報停止釦
１７  タイマー
１８  コマンド送受信部
１９  受信部
２０  受信部
２１  切替部
２２  スピーカ
２３  音発生回路
４１  画像センサ
４２  マイク
４３  制御部
４４  コマンド送受信部
４５  送信部
４６  送信部
【図１】
2009290348.tif 000003
【図２】
2009290348.tif 000004
【図３】
2009290348.tif 000005